(57)【要約】【課題】  分解・組立・高さ調整が出来、作業・安全・運搬性の良い振動防止型折り畳み作業床を開発する事。【解決手段】  移動手段と閂付外筒と調整穴付伸縮柱を４本設け、内２本の伸縮柱は作業床の両端に設け２本の伸縮柱間の空間を背面とし伸縮柱の内筒同士は頭貫で連結しブラケットを介して作業床と枢着し、他２本の伸縮柱は作業床端部側隅角部下付近に位置し２本の伸縮柱と中側両端に設けた伸縮柱間の空間を側面とし背面と側面とでコの字柵を形成し伸縮柱は伸縮柱外筒に設けたヒンジに横杆を介して背面に向けて折り畳める様に設け背面を構成する２本の伸縮柱頭部に貫を横架し双方を連結しブラケットを横設し作業床を枢着した機台を設け、機台を２台背中合せに連結し互いに応答する貫と横杆を一体と成して頭貫と足元貫とし頭貫と足元貫間にガススプリング付弾性筋交を設け作業床端部側隅角部下に設けた伸縮柱間に折り畳み収納可能な伸縮固定式筋交を設けたもの。【選択図】  図１
0003109880.tif 000002
【実用新案登録請求の範囲】
【請求項１】
下端にキャスター等の移動手段（１）を有する外筒（５）と、該外筒（５）には閂（７）を有し、内部にはそれぞれ一定間隔毎にラッチ穴（６）を有する内筒（４）から成る伸縮柱（２）（２）（２’）（２’）を４本設け、これら伸縮柱（２）（２）（２’）（２’）の内、２本の伸縮柱（２）（２’）は、中央部で二分する作業床（１２）の中央部側の両端付近にそれぞれ設け、これら２本の伸縮柱（２）（２’）間の空間を背面とし、これら伸縮柱のそれぞれ内筒（４）（４）同士は頭貫（１５）で連結すると共に、ブラケット（１１）を介して作業床（１２）と枢着し、他の２本の伸縮柱（３）（３’）は、前記作業床（１２）の端部側の隅角部下付近にそれぞれ位置し、この２本の伸縮柱（３）（３’）と前記中央部側の両端付近に設けた伸縮柱（２）（２’）間の空間をそれぞれ側面とし、前記背面とこれら側面とで、上方から見てコの字の柵を形成し、該作業床（１２）の端部側の隅角部下付近にそれぞれ設けた伸縮柱（３）（３’）は、前記中央部付近に位置するそれぞれ伸縮柱（２）（２’）の外筒に設けたヒンジ（９）（９’）に、横杆（８）（８’）を介して背面に向けて折りたためる様に設け、背面を構成する２本の伸縮柱（２）（２’）の頭部には、貫（１０）を横架して双方を連結すると共に、ブラケット（１１）を横設してこれに作業床（１２）を枢着した機台（１３）を設け、該機台（１３）を２台背中合わせに連結する事で互いに応答する貫（１０）と横杆（８）（８’）をそれぞれ一体と成して、頭貫（１５）と足元貫（１６）とし、該頭貫（１５）と足元貫（１６）との間にガススプリング（１７）付き弾性筋交（１８）を設け、且つ、該作業床（１２）の端部側の隅角部下付近にそれぞれ設けた伸縮柱（３）（３’）間に、それぞれ単独で折り畳み収納可能な伸縮固定式筋交（１９）（１９）を設けた事を特徴とする振動防止型折り畳み作業床。
【考案の詳細な説明】
【技術分野】
【０００１】
この考案は、作業床の高さを段階的に調整可能な振動防止型折り畳み作業床に関するものである。
【背景技術】
【０００２】
従来、作業床が折り畳めるだけでなく、その高さまでも段階的に調整出来る作業床は、作業床板自体の荷重が掛かって、伸縮脚の伸長に支障を来すといった事が無く、所望する高さの作業床をワンタッチで展開できる様にする為、作業床の鉛直荷重の伝達を一旦切断した伸縮脚以外から反力を取った折り畳み作業床とを、展開の為の検束運動で有機的に連結していた。
【０００３】
しかし、この作業床を折り畳むと、中央付近のヒンジを中心として、左右に分割する作業床が（＋）のモーメント方向に折り畳まれて起立した状態となり、その折り畳まれた作業床を下方で担持する台の伸縮脚が左右に張り出していた。その為、この作業床は横転させて段重ねに横積みにする事が出来なかった。又、展開の為の検束運動を有機的に構成するリンクが複雑となったり、折り畳み可能な作業床とそれを担持する台との総重量が嵩んだり、展開の為に大きな力が必要であり、二人がかりで扱っていた。
【０００４】
そこで、上記の問題を解決する為に考案したのが下記に示す特許文献である。これは、下端にキャスターを有する４本の伸縮柱と横杆とで１つの背面と２つの側面を有するコの字状の柵を設け、伸縮柱に連結する横杆には、背面に向けて２つの側面が上前及び下前に折り畳める様ヒンジを施装し、背面を構成する２つの伸縮柱の頭部には、貫を横架して双方を連結すると共に、ブラケットを横設してこれに作業床を枢着した機台を設け、該機台を２台背中合わせに連結する事で互いに応答する貫と横杆をそれぞれ一体と成して、頭貫と足元貫とし、該頭貫と足元貫との間にガススプリング付き弾性筋交を施装したものである。
【特許文献１】実開平３−１２６５７９
【０００５】
ところが、上記の初期対策型折り畳み作業床は、作業床を伸長時において、剛性不足等が原因で横振れが発生する為、作業性に支障をきたす等の新たな問題が発生している。
【考案の開示】
【考案が解決しようとする課題】
【０００６】
そこで、上記課題を解決する為に、この考案は、誰でも一人で簡単に分解・組立及び高さ調整が出来、且つ、作業性・安全性・運搬性の良い振動防止型折り畳み作業床を開発・提供する事にある。
【課題を解決するための手段】
【０００７】
この課題を解決する為に、この考案は、下端にキャスター等の移動手段を有する外筒と、該外筒には閂を有し、内部にはそれぞれ一定間隔毎にラッチ穴を有する内筒から成る伸縮柱を４本設け、これら伸縮柱の内、２本の伸縮柱は、中央部で二分する作業床の中央部側の両端付近にそれぞれ設け、これら２本の伸縮柱間の空間を背面とし、これら伸縮柱のそれぞれ内筒同士は頭貫で連結すると共に、ブラケットを介して作業床と枢着し、他の２本の伸縮柱は、前記作業床の端部側の隅角部下付近にそれぞれ位置し、この２本の伸縮柱と前記中央部側の両端付近に設けた伸縮柱間の空間をそれぞれ側面とし、前記背面とこれら側面とで、上方から見てコの字の柵を形成し、該作業床の端部側の隅角部下付近にそれぞれ設けた伸縮柱は、前記中央部付近に位置するそれぞれ伸縮柱の外筒に設けたヒンジに、横杆を介して背面に向けて折りたためる様に設け、背面を構成する２本の伸縮柱の頭部には、貫を横架して双方を連結すると共に、ブラケットを横設してこれに作業床を枢着した機台を設け、該機台を２台背中合わせに連結する事で互いに応答する貫と横杆をそれぞれ一体と成して、頭貫と足元貫とし、該頭貫と足元貫との間にガススプリング付き弾性筋交を設け、且つ、該作業床の端部側の隅角部下付近にそれぞれ設けた伸縮柱間に、それぞれ単独で折り畳み収納可能な伸縮固定式筋交を設けたものである。
【考案の効果】
【０００８】
この考案の効果として、下端にキャスター等の移動手段を有する外筒と、該外筒には閂を有し、内部にはそれぞれ一定間隔毎にラッチ穴を有する内筒から成る伸縮柱を４本設け、これら伸縮柱の内、２本の伸縮柱は、中央部で二分する作業床の中央部側の両端付近にそれぞれ設け、これら２本の伸縮柱間の空間を背面とし、これら伸縮柱のそれぞれ内筒同士は頭貫で連結すると共に、ブラケットを介して作業床と枢着し、他の２本の伸縮柱は、前記作業床の端部側の隅角部下付近にそれぞれ位置し、この２本の伸縮柱と前記中央部側の両端付近に設けた伸縮柱間の空間をそれぞれ側面とし、前記背面とこれら側面とで、上方から見てコの字の柵を形成し、該作業床の端部側の隅角部下付近にそれぞれ設けた伸縮柱は、前記中央部付近に位置するそれぞれ伸縮柱の外筒に設けたヒンジに、横杆を介して背面に向けて折りたためる様に設け、背面を構成する２本の伸縮柱の頭部には、貫を横架して双方を連結すると共に、ブラケットを横設してこれに作業床を枢着した機台を設け、該機台を２台背中合わせに連結する事で互いに応答する貫と横杆をそれぞれ一体と成して、頭貫と足元貫とし、該頭貫と足元貫との間にガススプリング付き弾性筋交を設け、且つ、該作業床の端部側の隅角部下付近にそれぞれ設けた伸縮柱間に、それぞれ単独で折り畳み収納可能な伸縮固定式筋交を設けた事で剛性を増し、横振れを防止する事で更に安全性・作業性を向上させる事が出来る。
【０００９】
又、単純で数少ない組立部材でありながら、高さ調整が可能な折り畳み作業台を構成出来、しかも、折り畳んだ作業台は起立した姿勢でも或いは横倒しした姿勢のままでも集積出来るといった形態に折り畳み可能な作業台を提供出来る等、極めて有益なる効果を奏するものである。
【考案を実施するための最良の形態】
【００１０】
この考案の最良の形態として、軽量で誰でも一人で簡単に分解・組立及び高さ調整が出来、且つ、剛性及び強度バランスのとれた横振れに強いものにする為に、作業床に掛かる負荷荷重に対して、軽量で強度バランスのとれた部材を選定し、出来るだけシンプルな構造に形成して品質・機能を保ち、且つ、材料費と製造費を軽減する事が重要である。
【実施例１】
【００１１】
そこで、この考案の一実施例を図１〜図４に基づいて詳述すると、下端にストッパー付きキャスター等の移動手段（１）を有する外筒（５）と、該外筒（５）には閂（７）を有し、内部にはそれぞれ一定間隔毎にラッチ穴（６）を有する内筒（４）から成る伸縮柱（２）（２）（２’）（２’）を４本設け、これら伸縮柱（２）（２）（２’）（２’）の内、２本の伸縮柱（２）（２’）は、中央部で二分する作業床（１２）の中央部側の両端付近にそれぞれ設け、これら２本の伸縮柱（２）（２’）間の空間を背面とし、これら伸縮柱のそれぞれ内筒（４）（４）同士は頭貫（１５）で連結すると共に、ブラケット（１１）を介して作業床（１２）と枢着し、他の２本の伸縮柱（３）（３’）は、前記作業床（１２）の端部側の隅角部下付近にそれぞれ位置し、この２本の伸縮柱（３）（３’）と前記中央部側の両端付近に設けた伸縮柱（２）（２’）間の空間をそれぞれ側面とし、前記背面とこれら側面とで、上方から見てコの字の柵を形成し、該作業床（１２）の端部側の隅角部下付近にそれぞれ設けた伸縮柱（３）（３’）は、前記中央部付近に位置するそれぞれ伸縮柱（２）（２’）の外筒に設けたヒンジ（９）（９’）に、横杆（８）（８’）を介して背面に向けて折りたためる様に設け、背面を構成する２本の伸縮柱（２）（２’）の頭部には、貫（１０）を横架して双方を連結すると共に、ブラケット（１１）を横設してこれに作業床（１２）を枢着した機台（１３）を設け、該機台（１３）を２台背中合わせに連結する事で互いに応答する貫（１０）と横杆（８）（８’）をそれぞれ一体と成して、頭貫（１５）と足元貫（１６）とし、該頭貫（１５）と足元貫（１６）との間にガススプリング（１７）付き弾性筋交（１８）を設け、且つ、該作業床（１２）の端部側の隅角部下付近にそれぞれ設けた伸縮柱（３）（３’）間に、それぞれ単独で折り畳み収納可能な伸縮固定式筋交（１９）（１９）を設けた事を特徴とする振動防止型折り畳み作業床から構成される。
【００１２】
次に、この考案の使用方法について説明すると、まず、図１（折り畳み状態時の正面図）において、最初に天板開き止め用ロックピンを解除し、ヒンジ（２１）（２１’）を支点として（−）のモーメント方向に折り畳まれた左右一対の作業床（１２）の内、一方を水平になるまで、（＋）のモーメント方向に持ち上げる。その後、ヒンジ（９）（９’）を支点に折り畳んだそれぞれの前後側面部を平面視で全体がコの字状態に成る様に展開し、伸縮柱（３）（３’）の頂部に持ち上げた作業床（１２）を持たせ掛ける。そして、次に収納用スタンド（２０）部に折り畳んで収納した伸縮固定式筋交（１９）（１９’）をそれぞれ側面方向に回転させ２本の横振れ防止用伸縮固定式筋交（１９）（１９’）がＸ状に交差する様にして固定し、更に、作業床高さに長さを調整して固定用ハンドル（２２）でしっかり固定する。以下、同様の手順で左右一対の作業床（１２）を展開して、全体として水平に展開した作業床を得る。この作業床（１２）の高さは、それぞれの伸縮柱（２）（２’）（３）（３’）共に同一の高さと成る様に、それぞれのラッチ穴（６）に閂（７）を貫通させて設定するものであるが、図１の様に折り畳む為には、伸縮柱（２）（２’）（３）（３’）の高さを常に最低限度に設定して行うので、作業床（１２）を折り畳んだ状態から展開した時は、常に作業床（１２）は最低限度の高さに位置する。
【００１３】
作業床（１２）の高さ調整を行うには、作業床（１２）を展開した状態で行う。この場合、伸縮柱（２）（２’）の高さは最低限度に縮長しており、且つ、足元貫（１６）と筋交（１８）間にはガススプリング（１７）が最縮長の状態で枢着され高さ調整時にガススプリングの反力を利用して持ち上げる力を補う様に成っている。従って、高さを低くする場合は作業床（１２）の上面部を下方向に加圧しながらゆっくり所望の位置まで降下させていき、それぞれの伸縮柱（２）（２’）（３）（３’）の閂（７）を操作して、それぞれの伸縮柱の高さを固定する。又、作業台を折り畳む時は、こりまでの逆の操作を行う。
【００１４】
又、折り畳んだ状態では、図１に示す様に左右の作業床（１２）がブラケット（１１）（１１’）のヒンジ（２１）（２１’）部を中心として、（−）のモーメント方向にそれぞれ折り畳まれるので、伸縮柱やガススプリング付き筋交（１８）は、折り畳まれた作業床（１２）間に収納されて、全体として横積みに適する面を左右に形成する。
【００１５】
次に、この考案の一実施例であるフリーダムステージＬＬタイプの外形寸法及び高さ調整範囲について説明すると、まず、使用時の外形寸法については、作業床部の全長が２２００ｍｍで、全幅が１３００ｍｍである。そして、全高は縮時の１１８０ｍｍ〜伸長時の１９５０ｍｍまで９段階に調整可能で、施工高さとしては、約３１００ｍｍ〜３７００ｍｍに対応可能である。又、折り畳み時の外形寸法は、全幅４４６ｍｍ×全長１３００ｍｍ×全高１２７０ｍｍである。
【産業上の利用可能性】
【００１６】
この考案は、誰でも一人で簡単に分解・組立及び高さ調整が出来、且つ、作業性・安全性・運搬性が良い為、広範囲の市場に寄与する点で産業上の利用可能性を有する。
【図面の簡単な説明】
【００１７】
【図１】この考案の一実施例を示し、（Ａ）は折り畳み状態時の正面図で、（Ｂ）は図１（Ａ）のａ−ａ矢視図である。
【図２】この考案の一実施例を示し、（Ａ）は展開状態で作業床下降時の正面図で、（Ｂ）は展開状態で作業床上昇時の正面図である。
【図３】この考案の一実施例を示し、（Ａ）は展開状態で作業床下降時の左側面図で、（Ｂ）は展開状態で作業床上昇時の左側面図である。
【図４】この考案の一実施例を示し、一部欠截平面図である。
【図５】この考案の横積み状態を示す正面図である。
【符号の説明】
【００１８】
１  キャスター
２  伸縮柱
２’  伸縮柱
３  伸縮柱
３’  伸縮柱
４  内筒
５  外筒
６  ラッチ穴
７  閂
８  横杆
８’  横杆
９  ヒンジ
９’  ヒンジ
１０  貫
１１  ブラケット
１２  作業床
１３  機台
１４  横杆
１５  頭貫
１６  足元貫
１７  ガススプリング
１８  筋交
１９  伸縮固定式筋交
１９’  伸縮固定式筋交
２０  スタンド
２１  ヒンジ
２１’  ヒンジ
２２  固定用ハンドル
【図１】
0003109880.tif 000003
【図２】
0003109880.tif 000004
【図３】
0003109880.tif 000005
【図４】
0003109880.tif 000006
【図５】
0003109880.tif 000007